(57)【要約】【課題】独立して携帯電話機とポータブルオーディオ再生機にアクセスすることができるポータブルオーディオシステムを提供すること。【解決手段】携帯電話機１２０とポータブルオーディオ再生機１３０と操作手段を有するヘッドフォン１４０とで構成し、ヘッドフォンインタフェース手段とポータブルオーディオインタフェース手段、音声信号出力インタフェース手段とケータイインタフェース手段、ヘッドフォンインタフェース手段と音声信号入出力インタフェース手段とを備え、携帯電話機とポータブルオーディオ再生機に独立してアクセスすることができる。携帯電話への着信検知を低下することなく楽曲再生環境の充実と操作性の大幅な向上が図れるものである。【選択図】図１
2006295783.tif 000002
【特許請求の範囲】
【請求項１】
携帯電話機とポータブルオーディオ再生機とを無線或いは有線で接続し、前記ポータブルオーディオ再生機で楽曲の再生を行うポータブルオーディオシステムであって、
前記携帯電話機と
前記ポータブルオーディオ再生機と
操作手段を有するヘッドフォンで構成し、
前記操作手段を有するヘッドフォンにより前記携帯電話機と前記ポータブルオーディオ再生機と互いに独立して交信するよう構成したことを特徴とするポータブルオーディオシステム。
【請求項２】
携帯電話機とポータブルオーディオ再生機とを無線或いは有線で接続し、前記ポータブルオーディオ再生機で楽曲の再生を行うポータブルオーディオシステムであって、
前記携帯電話機と
前記ポータブルオーディオ再生機と
前記操作手段を有するヘッドフォンで構成し、
前記携帯電話機はシステム制御手段を有し、前記システム制御手段は前記操作手段を有するヘッドフォンの動作状態を示すステータス情報と、前記ポータブルオーディオ再生機の動作状態を示すステータス情報を受信し、前記ステータス情報をもとにシステム全体の制御を行う制御機能を有することを特徴とする請求項１記載のポータブルオーディオシステム。
【請求項３】
携帯電話機とポータブルオーディオ再生機とを無線或いは有線で接続し、前記ポータブルオーディオ再生機で楽曲の再生を行うポータブルオーディオシステムであって、
前記携帯電話機と
前記ポータブルオーディオ再生機と
前記操作手段を有するヘッドフォンで構成し、
前記携帯電話機は前記操作手段を有するヘッドフォンとインタフェースするためのヘッドフォンインタフェース手段と前記ポータブルオーディオ再生機とインタフェースするポータブルオーディオインターフェース手段を有することを特徴とする請求項２記載のポータブルオーディオシステム。
【請求項４】
携帯電話機とポータブルオーディオ再生機とを無線或いは有線で接続し、前記ポータブルオーディオ再生機で楽曲の再生を行うポータブルオーディオシステムであって、
前記携帯電話機と
前記ポータブルオーディオ再生機と
前記操作手段を有するヘッドフォンで構成し、
前記ポータブルオーディオ再生機は前記操作手段を有するヘッドフォンとインタフェースするための音声信号出力インタフェース手段と前記携帯電話機とインタフェースするケータイインターフェース手段を有することを特徴とする請求項１記載のポータブルオーディオシステム。
【請求項５】
携帯電話機とポータブルオーディオ再生機とを無線或いは有線で接続し、前記ポータブルオーディオ再生機で楽曲の再生を行うポータブルオーディオシステムであって、
前記携帯電話機と
前記ポータブルオーディオ再生機と
前記操作手段を有するヘッドフォンで構成し、
前記操作手段を有するヘッドフォンは前記携帯電話機とインタフェースするためのケータイインタフェース手段と前記ポータブルオーディオ再生機とインターフェースする音声信号入力インタフェース手段とユーザとインタフェースするための入出力手段とユーザとインタフェースするための別の手段である駆動制御手段とユーザとインタフェースするための別の手段である音声入出力手段とヘッドホーン全体の制御を行う制御手段と前記音声入出力手段と接続し、通話のためのマイク、音再生のためのスピーカーから構成するヘッドフォンと前記駆動制御手段と接続し、振動を発生するための振動発生手段とを有することを特徴とする請求項１記載のポータブルオーディオシステム。
【請求項６】
携帯電話機とポータブルオーディオ再生機とを無線或いは有線で接続し、前記ポータブルオーディオ再生機で楽曲の再生を行うポータブルオーディオシステムであって、
前記携帯電話機の着信は前記ポータブルオーディオ再生機の楽曲の再生を妨げることなく伝達するよう構成したことを特徴とする請求項１記載のポータブルオーディオシステム。
【請求項７】
携帯電話機とポータブルオーディオ再生機とを無線或いは有線で接続し、前記ポータブルオーディオ再生機で楽曲の再生を行うポータブルオーディオシステムであって、
前記携帯電話機の着信の伝達は視覚、聴覚、触感およびその組み合わせにより行う、また予め選択し設定することを特徴とする請求項１記載のポータブルオーディオシステム。
【請求項８】
携帯電話機とポータブルオーディオ再生機とを無線或いは有線で接続し、前記ポータブルオーディオ再生機で楽曲の再生を行うポータブルオーディオシステムであって、
前記携帯電話機を介して音楽配信サイトへアクセスし、前記音楽配信サイトのサーバーから楽曲のダウンロードを前記ポータブルオーディオ再生機が再生中でも行うよう構成したことを特徴とする請求項１記載のポータブルオーディオシステム。
【請求項９】
携帯電話機とポータブルオーディオ再生機とを無線或いは有線で接続し、前記ポータブルオーディオ再生機で楽曲の再生を行うポータブルオーディオシステムであって、
前記音楽配信サイトのサーバーからダウンロードする楽曲の選択は前記操作手段を有するヘッドホーンの操作により遠隔実施する構成にしたことを特徴とする請求項１または３記載のポータブルオーディオシステム。
【請求項１０】
携帯電話機とポータブルオーディオ再生機とを無線或いは有線で接続し、前記ポータブルオーディオ再生機で楽曲の再生を行うポータブルオーディオシステムであって、
前記ポータブルオーディオ再生機にある楽曲は前記携帯電話機に転送するよう構成したことを特徴とする請求項１または２または４記載のポータブルオーディオシステム。
【請求項１１】
携帯電話機とポータブルオーディオ再生機とを無線或いは有線で接続し、前記ポータブルオーディオ再生機で楽曲の再生を行うポータブルオーディオシステムであって、
前記ポータブルオーディオ再生機にある楽曲の前記携帯電話機への転送は前記操作手段を有するヘッドフォンの操作により遠隔実施できることを特徴とする請求項５または１０記載のポータブルオーディオシステム。
【請求項１２】
請求項１から請求項１１のいずれかに記載のポータブルオーディオシステムに用いる携帯電話機。
【発明の詳細な説明】
【技術分野】
【０００１】
本発明は携帯電話機と携帯型音楽再生機とを接続し、携帯電話機と携帯型音楽再生機を融合したモバイルにおける音楽環境を充実するためのポータブルオーディオシステムに関するものである。
【背景技術】
【０００２】
従来のポータブルオーディオシステムは、例えば、図８に示すように、携帯電話機８３０に接続された無線通信ユニット８２０と、一方、ヘッドフォン８１０１と有線接続された通信モジュール８１０２をもつポータブルオーディオ再生機８１０とで構成されていて、互いに無線通信ユニット８２０と通信モジュール８１０２を介して無線により接続されている。使用者がヘッドフォン８１０１で楽曲を聴いているとき、携帯電話機８３０に着信があるとシステムはヘッドフォン８１０を介して着信の通知を使用者に伝達する。使用者は着信の伝達を受けるとポータブルオーディオ再生機８１０にある通話開始操作手段８１０３を操作する。その結果、再生中の楽曲は停止され、楽曲の再生に替わってヘッドフォン８１０１は通話状態になりヘッドフォン８１０１に付属のマイクで通話を行うことが可能になる。通話が終了した場合に、使用者はポータブルオーディオ再生機８１０にある通話終了手段８１０４を操作することにより、通話状態の解除と楽曲の再度の再生を開始させることができる。これら一連の手順によれば、携帯電話機は、例えば鞄の中にあっても取出すことなく通話を行うことができる。（例えば、特許文献１参照）。
【０００３】
また、携帯端末装置を用いたポータブルオーディオシステムにおける携帯機器相互の接続制御方法として、図９に示すように、携帯電話機９２０とポータブルオーディオ再生機９１０を有線９３０あるいは無線で接続するシステムは構成も知られている。例えば音楽配信サーバより楽曲をダウンロードし、同楽曲を聴きたい場合、ダウンロードは相互が接続を検知できている場合に可能であるとして、楽曲ファイルは携帯電話機９２０を介してポータブルオーディオ再生機９１０にダウンロードすることがでる。一方、ダウンロードした楽曲の再生はポータブルオーディオ再生機９１０が携帯電話機９２０と接続を解除されたことの検知によって、ダウンロードした楽曲のファイルを開き楽曲の再生を行うことが提案されている（例えば、特許文献２参照）
【特許文献１】特開２００２−９９０３号公報（第２−３頁、第２図）
【特許文献２】特開２００２−３１４６４７号公報（第３−４頁、第１図）
【発明の開示】
【発明が解決しようとする課題】
【０００４】
しかしながら、従来のポータブルオーディオシステムでは、ポータブルオーディオ再生機と接続されているヘッドフォンで楽曲の再生や携帯電話機の着信を使用者に伝達している。従って特許文献１にある技術のように、楽曲再生中の着信は使用者の状態に関係なく楽曲の再生を自動的に中断して通知される。従って、従来は携帯電話機に着信があるたびに楽曲再生が中断され、それに伴い折角音楽を楽しんでいる状態が中断され妨害されることになる。
【０００５】
一方、携帯電話機で音楽配信サイトから楽曲を取得し、ポータブルオーディオ再生機で再生する特許文献２にあるようなシステムにおいても、従来、使用者は装備しているヘッドフォンの操作でダウンロードする楽曲の選曲等はできなかった。また、楽曲の再生は携帯電話機とポータブルオーディオ再生機との相互の接続が解除されてはじめて可能なことから、従来のシステムでは、楽曲のダウンロードと再生は同時に行うことができなかった。一方、従来の携帯端末装置を用いたポータブルオーディオシステムの楽曲データの流れるは、携帯電話機からポータブルオーディオ再生機、ポータブルオーディオ再生機から使用者へと順次流れることから、ポータブルオーディオ再生機から携帯電話機への楽曲の転送は出来なかった。従って、例えばポータブルオーディオ再生機にある楽曲を着メロとして転送して使用することは出来なかった。また、手元操作により例えばカバンの中にある携帯電話機からポータブルオーディオ再生機を操作することはできなかった、という問題があった。
【０００６】
本発明は、従来の問題を解決するためになされたもので、独立して携帯電話機とポータブルオーディオ再生機にアクセスすることができるポータブルオーディオシステムを提供することを目的とする。
【課題を解決するための手段】
【０００７】
本発明のポータブルオーディオシステムは、携帯電話機とポータブルオーディオ再生機とを無線或いは有線で接続し、前記ポータブルオーディオ再生機で楽曲の再生を行うポータブルオーディオシステムであって、前記携帯電話機と前記ポータブルオーディオ再生機と操作手段を有するヘッドフォンとで構成することを特徴としている。
【０００８】
この構成により、携帯電話機の着信認識を低下することなく、楽曲の再生を妨害されることのない音楽環境の確立や、楽曲再生のための操作性、音楽配信サイトからのダウンロードにおける選曲のための操作性、楽曲再生中における前記ダウンロードの実施等、音楽環境の確立と操作性の大幅な質向上を図ることができる。
【０００９】
また、本発明のポータブルオーディオシステムは、携帯電話機とポータブルオーディオ再生機とを無線或いは有線で接続し、前記ポータブルオーディオ再生機で楽曲の再生を行うポータブルオーディオシステムであって、前記携帯電話機と前記ポータブルオーディオ再生機と前記操作手段を有するヘッドフォンで構成し、前記操作手段を有するヘッドフォンにより前記携帯電話機と前記ポータブルオーディオ再生機と互いに独立して交信するよう構成したことを特徴としている。
【００１０】
この構成により、前記操作手段を有するヘッドフォンの手元操作で、例えばカバンの中にある携帯電話機とポータブルオーディオ再生機を遠隔操作することが可能になり、携帯電話機、ポータブルオーディオ再生機の携帯機器を個別に操作する必要がなくなり、携帯機器で構成するシステムとしての操作性の大幅な向上が図れることになる。
【００１１】
また、本発明のポータブルオーディオシステムは、携帯電話機とポータブルオーディオ再生機とを無線或いは有線で接続し、前記ポータブルオーディオ再生機で楽曲の再生を行うポータブルオーディオシステムであって、前記携帯電話機と前記ポータブルオーディオ再生機と前記操作手段を有するヘッドフォンで構成し、前記携帯電話機はシステム制御手段を有し、前記システム制御手段は前記操作手段を有するヘッドフォンの動作状態を示すステータス情報と、前記ポータブルオーディオ再生機の動作状態を示すステータス情報を受信し、前記ステータス情報をもとにシステム全体の制御を行う制御機能を有することを特徴としている。
【００１２】
この構成により、前記携帯電話機はシステムを構成している機器状態を把握し、システムとしての動作か、あるいは個別機器としての動作かを判定する。
【００１３】
また、本発明のポータブルオーディオシステムは、携帯電話機とポータブルオーディオ再生機とを無線或いは有線で接続し、前記ポータブルオーディオ再生機で楽曲の再生を行うポータブルオーディオシステムであって、前記携帯電話機と前記ポータブルオーディオ再生機と前記操作手段を有するヘッドフォンで構成し、前記携帯電話機は操作手段を有するヘッドフォンとインタフェースするためのヘッドフォンインタフェース手段とポータブルオーディオ再生機とインタフェースするポータブルオーディオインタフェース手段を有することを特徴としている。
【００１４】
この構成により携帯電話機は操作手段を有するヘッドフォンとポータブルオーディオ再生機と交信することが可能になる。
【００１５】
また、本発明のポータブルオーディオシステムは、携帯電話機とポータブルオーディオ再生機とを無線或いは有線で接続し、前記ポータブルオーディオ再生機で楽曲の再生を行うポータブルオーディオシステムであって、前記携帯電話機と前記ポータブルオーディオ再生機と前記操作手段を有するヘッドフォンで構成し、前記ポータブルオーディオ再生機は操作手段を有するヘッドフォンとインタフェースするための音声信号出力インタフェース手段と前記携帯電話機とインタフェースするケータイインタフェース手段を有することを特徴としている。
【００１６】
この構成によりポータブルオーディオ再生機は携帯電話機と操作手段を有するヘッドフォンと交信することが可能になる。
【００１７】
また、本発明のポータブルオーディオシステムは、携帯電話機とポータブルオーディオ再生機とを無線或いは有線で接続し、前記ポータブルオーディオ再生機で楽曲の再生を行うポータブルオーディオシステムであって、前記携帯電話機と前記ポータブルオーディオ再生機と前記操作手段を有するヘッドフォンで構成し、前記操作手段を有するヘッドフォンは前記携帯電話機とインタフェースするためのケータイインタフェース手段と前記ポータブルオーディオ再生機とインタフェースする音声信号入力インタフェース手段とユーザとインタフェースするための入出力制御手段とユーザとインタフェースするための別の手段である駆動制御手段とユーザとインタフェースするための別の手段である音声入出力手段とヘッドフォン全体の制御を行う制御手段と前記音声入出力手段と接続し、通話のためのマイク、音再生のためのスピーカーから構成するヘッドフォンと前記駆動制御手段と接続し、振動を発生するための振動発生手段とを有することを特徴としている。
【００１８】
この構成により操作手段を有するヘッドフォンは携帯電話機とポータブルオーディオ再生機と交信することが可能となり、またユーザとシステムとの交信を可能にする。
【００１９】
また、本発明のポータブルオーディオシステムは、携帯電話機とポータブルオーディオ再生機とを無線或いは有線で接続し、前記ポータブルオーディオ再生機で楽曲の再生を行うポータブルオーディオシステムであって、前記携帯電話の着信は前記ポータブルオーディオ再生機の楽曲の再生を妨げることなく伝達するよう構成したことを特徴としている。このことにより従来にない着信時でも音楽環境の充実が図れることになる。
【００２０】
また、本発明のポータブルオーディオシステムは、携帯電話機とポータブルオーディオ再生機とを無線或いは有線で接続し、前記ポータブルオーディオ再生機で楽曲の再生を行うポータブルオーディオシステムであって、前記携帯電話の着信の伝達は視覚、聴覚、触感およびその組み合わせにより行う、また予め選択し設定することを特徴としている。このことにより携帯電話機の着信時ユーザの対応選択肢が拡大することになり、特に楽曲再生中など、再生を中断することなく着信を確実に伝達することが可能になる。
【００２１】
また、本発明のポータブルオーディオシステムは、携帯電話機とポータブルオーディオ再生機とを無線或いは有線で接続し、前記ポータブルオーディオ再生機で楽曲の再生を行うポータブルオーディオシステムであって、前記携帯電話を介して音楽配信サイトへアクセスし、前記音楽配信サイトのサーバーから楽曲のダウンロードを前記ポータブルオーディオ再生機が再生中でも行うよう構成したことを特徴とする。
【００２２】
このことにより、音楽配信サイトからの楽曲のダウンロードはポータブルオーディオ再生機の状態を気にすることなくユーザのタイミングで行うことができるようになることからシステムの利便性が大幅に向上する。
【００２３】
また、本発明のポータブルオーディオシステムは、携帯電話機とポータブルオーディオ再生機とを無線或いは有線で接続し、前記ポータブルオーディオ再生機で楽曲の再生を行うポータブルオーディオシステムであって、前記音楽配信サイトサーバーからダウンロードする楽曲の選択は前記操作手段を有するヘッドフォンの操作により遠隔実施する構成にしたことを特徴としている。このことにより、例えば携帯電話がカバン等の中にあり直接操作できない場合、あるいは操作し難い状態にあってもヘッドフォンの操作で選曲ができることから利便性が大幅に向上する。
【００２４】
また、本発明のポータブルオーディオシステムは、携帯電話機とポータブルオーディオ再生機とを無線或いは有線で接続し、前記ポータブルオーディオ再生機で楽曲の再生を行うポータブルオーディオシステムであって、前記ポータブルオーディオ再生機にある楽曲は前記携帯電話機に転送するよう構成したことを特徴としている。
このことにより、ユーザーの所有する楽曲を任意に、例えば着信を知らせる手段として使用することが可能となるので、よりユーザー好みのシステムへチューニングができるシステムを提供することができる。
【００２５】
また、本発明のポータブルオーディオシステムは、携帯電話機とポータブルオーディオ再生機とを無線或いは有線で接続し、前記ポータブルオーディオ再生機で楽曲の再生を行うポータブルオーディオシステムであって、前記ポータブルオーディオ再生機にある楽曲の前記携帯電話機への転送は前記操作手段を有するヘッドフォンの操作により遠隔実施できることを特徴としている。このことにより、より利便性の拡大を図ることが可能となる。
【発明の効果】
【００２６】
本発明は、携帯電話機の着信認識を低下することなく、楽曲の再生を妨害されることのない音楽環境の大幅な質向上や、楽曲再生のための操作性、音楽配信サイトからのダウンロードにおける選曲のための操作性、楽曲再生中における前記ダウンロードの実施等、音楽環境と操作性の大幅な質向上を図ることができるという効果を有するポータブルオーディオシステムを提供することができるものである。
【発明を実施するための最良の形態】
【００２７】
次に本発明の実施の形態について図面を参照して説明する。なお、全図を通じて同一符
号は同一対象物を表す。図１に本発明の実施の形態、使用形態を示す。図１を用いて本発明の概要を説明する。
【００２８】
（実施の形態１）
図１において、本発明のポータブルオーディオシステム１９０は携帯電話機１２０、ポータブルオーディオ再生機１３０、操作手段を有するヘッドフォン１４０で構成する。携帯電話機１２０とポータブルオーディオ再生機１３０はそれぞれの無線通信手段で接続させている状態でカバン１１０等の中にあり、操作手段を有するヘッドフォン１４０はユーザー１６０に装着されている。そして操作手段を有するヘッドフォン１４０はカバン１１０等の中にある携帯電話機１２０とポータブルオーディオ再生機１３０と独立して無線通信により交信が可能な状態にある。
【００２９】
ポータブルオーディオ再生機１３０にある楽曲の再生はユーザー１６０の操作手段を有するヘッドフォン１４０の操作スイッチ部１０６の再生指示操作によって、携帯電話機１２０を介してポータブルオーディオ再生機１３０に伝達される。再生指示を受けたポータブルオーディオ再生機１３０は自身の再生機能により楽曲の再生を開始し、再生された楽曲はポータブルオーディオ再生機１３０から操作手段を有するヘッドフォン１４０に無線通信を介して伝達されヘッドフォン１０４からユーザーに再生楽曲を伝達する。再生楽曲の選曲あるいは再生停止についても同様にユーザー１６０による操作スイッチ部１０６の操作により指示され、携帯電話機１２０を介してポータブルオーディオ再生機１３０に伝達されと伴にポータブルオーディオ再生機１３０自身の機能により指示が実行される。
【００３０】
次に、携帯電話機１２０の着信は携帯電話機１２０から直接操作手段を有するヘッドフォン１４０へ、例えば操作スイッチ部１０６にある表示部の着信メッセージや単なる同表示部の点滅等光によるものであったり、振動手段による方法等により伝達される。
【００３１】
即ち、楽曲再生系とは異なる独立した経路にて着信が伝達されることから例えば、楽曲再生中の着信であっても楽曲再生を中断等することなく着信の伝達が可能となる。着信への応答はユーザー１６０に依存して例えばユーザーが応答する場合には操作スイッチ部１０６の該当する操作で携帯電話機１２０へ指示する。その結果携帯電話機１２０は自身の機能で通話状態を確立し、楽曲再生中断あるいは音量低減をポータブルオーディオ再生機へ指示する。そして携帯電話機１２０とヘッドフォン１０４、同マイク１０５により通話を行うことができる。また、通話の終了も操作スイッチ部１０６の該当する操作で携帯電話機１２０へユーザー１６０が指示することにより、携帯電話機１２０は通話状態の終了処理とポータブルオーディオ再生機１３０の再生再開を指示することにより、元の状態へ戻る。
【００３２】
次に、楽曲の音楽サイトからのダウンロードは、まず最初に、ユーザーが携帯電話機１２０を操作して、ダウンロードしたいサイト１５０との交信を確立し、その後例えば携帯電話機１２０はかばん１１０等に入れ、楽曲の選択は操作スイッチ部１０６から行うことができる。続けてダウンロードする場合の指示や楽曲の選曲、サーバー１５０との交信終了も同様に操作スイッチ部１０６の該当する操作で行うことができる。従って楽曲のダウンロードと楽曲の再生は携帯電話１２０とポータブルオーディオ再生機１３０が独立してユーザーからの指示で、実行することができることからポータブルオーディオ再生機は再生状態を維持し、また楽曲の再生を中断することなくダウンロードすることができることを示している。一方、ポータブルオーディオ再生機１３０にある楽曲を携帯電話機１２０へ転送することも操作スイッチ１０６から行うことができ、例えばポータブルオーディオ再生機１３０にある楽曲を着メロとして使用することも可能にしている。
【００３３】
次に、図２〜図４を用いてその構成および動作の詳細を説明する。図２に本発明の携帯電話機の機能ブロックを示す。携帯電話機１２０はアンテナ２０１、送受信部２０２、音声コーデック部２０３、音声入出力部２０４、スピーカー部２０５、マイク部２０６、入出力部２１２、システム制御部２１０、メモリ部２１１、ポータブルオーディオインターフェース部２２１、ヘッドフォンインタフェース部２２０を備える。そして入出力部２１２はユーザーのコマンド入力のためのキー入力部２１５、ユーザーへの伝達のための表示部２１４、それらの入出力データを制御するための入出力制御部２１３から構成される。アンテナ２０１を介して入力する音声情報は送受信部２０２でデジタルデータに変換される。そして音声コーデック部２０３でデコードされた後、音声入出力部２０４にてアナログ信号に変換されてスピーカー２０５から音声として聞くことができる。一方ユーザー等話し手の声はマイク２０６を介して、前記と逆のプロセスでアンテナ２０１から発信される。即ち音声入出力部２０４でマイク２０６から入力するアナログ音声信号をデジタルデータに変換し、音声コーデック２０３でコード化した後、送受信部２０２で送信のための処理が行われアンテナ２０１を介して発信を行う。メールの受発信の場合には入出力部２１２の表示部２１４とキー入力部２１５が前記スピーカ２０５、マイク２０６に替わって情報伝達手段となる。システム制御手段であるシステム制御部２１０は前記交信操作及び処理における携帯電話機１２０の制御を司り、メモリ部２１１はシステム制御部２１０の管理下で情報の蓄積を行う。ポータブルオーディオインターフェース手段であるポータブルオーディオインターフェース部２２１はポータブルオーディオ再生機との間で信号の授受を行う機能を有している。
【００３４】
例えば、携帯電話機１２０からはポータブルオーディオ再生機１３０を操作するためのコマンドや楽曲データが送られ、ポータブルオーディオ再生機１３０から携帯電話機１２０へはポータブルオーディオ再生機１３０の状態を示すステータスや楽曲データが送られる。ヘッドフォンインタフェース手段であるヘッドフォンインタフェース部２２０は操作手段を有するヘッドフォン１４０との間で信号の授受を行う機能があり、例えば、携帯電話機１２０からは着信を伝達するための信号や情報、ダウンロードするサイト情報やダウンロード楽曲情報、通話時の相手音声データが伝送される。一方、操作手段を有するヘッドフォン１４０からはユーザー操作に基くコマンド、操作手段を有するヘッドフォン１４０の状態を示すステータス、通話のための音声情報等が携帯電話機１２０へ送られる。
【００３５】
図３に本発明の実施の形態のポータブルオーディオ再生機の機能ブロックを示す。
【００３６】
ポータブルオーディオ再生機１３０はケータイインタフェース手段であるケータイインタフェース部３００、音声コーデック部３０１、入出力部３１２、制御部３１０、メモリ部３１１、音声信号出力部３０２、音声出力端子３０３、音声信号出力インタフェース手段である音声信号出力インタフェース部３２０を備えている。メモリ部３１１は所定のフォーマットで楽曲情報、楽曲ファイルを蓄積する機能を有し、携帯電話機１２０からケータイインタフェース部３００を介して転送される楽曲情報、楽曲ファイル等を音声コーデック３０１で所定のフォーマットへデコードされた後蓄積する。ケータイインタフェース部３００は携帯電話機１２０にあるポータブルオーディオインタフェース部２２１と接続され、前記したようにポータブルオーディオ再生機１３０からはポータブルオーディオ再生機１３０の状態を示すステータスや着メロ用楽曲データが送られ、携帯電話機１２０からはポータブルオーディオ再生機１３０を操作するためのコマンドや楽曲データが送られる。ポータブルオーディオ再生機１３０のステータスは制御部３１０で管理している、その内容は例えば、システム制御可能の可否、楽曲再生中または停止中、選曲中等であり、所定の形式と所定のタイミングで携帯電話機１２０へ伝送される。入出力部３１２はキー入力部３１５と表示部３１４と入出力を制御する入出力制御部３１３から成る。この入出力部３１２はポータブルオーディオ再生機１３０を単体で使用する場合の操作インタフェースとして主に使用する。
【００３７】
音声信号出力部３０２は直接ポータブルオーディオ再生機１３０からヘッドフォンで楽曲等を聴くためにある音声信号出力用であり、ここではアナログ化のための処理等を行う。一方、音声信号出力インタフェース部３２０は操作手段を有するヘッドフォン１４０で楽曲等をシステムで聴く本来の使い方のための楽曲転送用インタフェース部である。ポータブルオーディオ再生機の楽曲の再生信号等が転送される。
【００３８】
図４に本発明の操作手段を有するヘッドフォンの機能ブロックを示す。操作手段を有するヘッドフォン１４０はマイク１０５とスピーカを含むヘッドフォン１０４と操作スイッチ部１０６から成り、さらにヘッドフォン１０４には振動発生手段である振動発生部４０１を内蔵している。操作スイッチ部１０６は駆動制御手段である駆動制御部４００、音声入出力手段である音声入出力部４４０、ケータイインタフェース手段であるケータイインタフェース部４２０、音声信号入力インタフェース手段である音声信号入力インタフェース部４３０、制御手段である制御部４１０、メモリー部４１１、入出力手段である入出力部４１２を備え、入出力部４１２は入出力制御部４１３、表示部４１４、キー入力部４１５から成る。
【００３９】
操作手段を有するヘッドフォン１４０はスピーカを含むヘッドフォン１０４によりポータブルオーディオ再生機１３０の再生楽曲あるいは携帯電話機１２０の着信による通話を聞く事ができる。また携帯電話機１２０の着信に対する通話はマイク１０５を使って行うことができる。さらにヘッドフォン１０４には振動発生部４０１を内蔵して、例えば音楽再生を着信により妨害されたくない場合に振動発生で着信を伝達するよう設定する。
【００４０】
前記通話や設定状態はユーザーが選択した結果であり、同操作は操作スイッチ部１０６の操作で行い、メモリ部４１１に取り込み登録される。ステータス情報の一部でもある。
【００４１】
ケータイインタフェース部４２０は携帯電話機１２０のヘッドフォンインタフェース部２２０と接続されて、操作手段を有するヘッドフォン１４０の状態を示すステータスおよびユーザーがキー入力部４１５で入力したコマンド、あるいはマイク１０５から入力した音声データ等を携帯電話機１２０へ送信する。逆に、携帯電話機１２０からは着信を伝達するための信号や情報、ダウンロードするサイト情報やダウンロード楽曲情報、通話時の相手音声データ等が伝送される。
【００４２】
音楽信号入力インタフェース４３０はポータブルオーディオ再生機１３０から楽曲の再生信号等が入力する。入力した再生信号は音声入出力部４４０でアナログ変換処理を行いヘッドフォン１０４を介して聴くことになる。
【００４３】
演奏楽曲の切替や再生ＯＮ／ＯＦＦ、ダウンロードＯＮ／ＯＦＦ、ダウンロード選曲等のコマンド、あるいは着信のための応答等本システム１９０における操作はキー入力部４１５の操作で行う。またコマンド入力のアンサーバックあるいは状態表示は表示部４１４で確認することができる。駆動制御部４００は振動発生部４０１を駆動制御するためのもので、使用可否はユーザーの前記コマンド設定により行われる。操作スイッチ部１０６のすべての制御は制御部４１０が司る。
【００４４】
次に、図５の動作フローチャートを参照して、本発明の第1の実施形態の動作を説明する。図５にポータブルオーディオ再生機にある楽曲を再生し聴くための動作フローチャートを示す。
【００４５】
携帯電話機１２０の電源をＯＮする（Ｓ５０１）、ポータブルオーディオ再生機１３０および操作手段を有するヘッドフォン１４０の電源をＯＮする（Ｓ５０２）。そして携帯電話機１２０とポータブルオーディオ再生機１３０は例えばカバン等の中へ入れ、無線によりそれぞれの機器が前述したそれぞれのインタフェース部を介して結合される。この状態で操作手段を有するヘッドフォン１４０の入出力部４１２を操作し全てのアクセスを行う。
【００４６】
携帯電話機１２０のシステム制御部２１０はヘッドフォンインタフェース部２２０から入力する操作手段を有するヘッドフォン１４０とポータブルオーディオインタフェース部２２１から入力するポータブルオーディオ再生機１３０のステータスを読み込み電源状態等を含め結合の状態を把握し（Ｓ５１０）、それぞれの表示部２１４、３１４、４１４へインタフェース状態を表示する（Ｓ５１１）、（Ｓ５１２）。このとき仮にインタフェース状態に電源未投入を含め不良がある場合（Ｓ５１０のＮ）は該当する機器を調整し再度電源投入からやり直す必要がある。携帯電話機１２０の表示部２１４はポータブルオーディオ再生機１３０と操作手段を有するヘッドフォン１４０のステータス状態も表示する。
【００４７】
楽曲の再生をキー入力部４１５の操作で指示すると、携帯電話機１２０のシステム制御部２１０を介してポータブルオーディオ再生機１３０の制御部３１０へ伝達し、同メモリ部３１１にある楽曲情報が携帯電話機１２０を介して操作手段を有するヘッドフォン１４０の表示部４１４へアンサーバックされる。ユーザーは同アンサーバックされた楽曲情報から再生したい楽曲をキー入力部４１５から選択し再生を指示する（Ｓ５１３）。楽曲の選択指示と同楽曲の再生が携帯電話機１２０を介して指示された結果ポータブルオーディオ再生機１３０のメモリ部３１１にある該当する楽曲の再生（読み出し）が開始される。同メモリ部３１１から読み出された楽曲は音声信号出力インタフェース３２０を介して操作手段を有するヘッドフォン１４０の音声信号入力インタフェース４３０へ伝達される。伝達された楽曲は音声入出力部４４０でアナログ変換され、ヘッドフォン１０４へ出力する（Ｓ５１４）。再生を継続する場合（Ｓ５２０のＮ）は選曲のための操作（Ｓ５１３）を１曲毎に繰り返し行う方法の他に連続再生を指示することも可能である。再生を止める場合（Ｓ５２０のＹ）は、Ｓ５３０以降の手順になる。即ちキー入力部４１５から再生ＯＦＦの指示（Ｓ５３１）を携帯電話機１２０のシステム制御部２１０が受信すると、ポータブルオーディオ再生機１３０の制御部３１０へ伝達し、同制御部３１０の制御に基づきポータブルオーディオ再生機１３０のメモリ部３１１の読み出しが停止され、その結果楽曲の再生がとまることになる。システム１９０を構成する機器電源のＯＦＦはＳ５４０以降のように行う。即ち、ポータブルオーディオ再生機１３０の電源をＯＦＦ（Ｓ５４０、Ｓ５４１）、操作手段を有するヘッドフォン１４０の電源ＯＦＦ（Ｓ５５０、Ｓ５５１）、携帯電話機１２０の電源ＯＦＦ（Ｓ５６０、Ｓ５６１）となる。
【００４８】
以上のように本発明の第１の実施の形態の、携帯電話機とポータブルオーディオ再生機と操作手段を有するヘッドフォンで構成し、携帯電話機１２０にヘッドフォンインタフェース部２２０、ポータブルオーディオインタフェース部２２１、ポータブルオーディオ再生機１３０にケータイインタフェース部３００、音声信号出力インタフェース部３２０、そいて操作手段を有するヘッドフォン１４０にケータイインタフェース部４２０、音声信号入力インタフェース部４３０をそれぞれ設けることにより、前記操作手段を有するヘッドフォンにより前記携帯電話機と前記ポータブルオーディオ再生機と互いに独立して交信することが可能になる。
【００４９】
（実施の形態２）
次に、図６の動作フローチャートを参照して、本発明の第２の実施形態の動作を説明する。図６にポータブルオーディオ再生機で楽曲再生中に携帯電話機へ着信があった場合の通話及び操作・処理フローチャートを示す。システム１９０は図１に示す状態にある、即ち携帯電話機１２０、ポータブルオーディオ再生機１３０はカバンの中でありユーザー１６０は操作手段を有するヘッドフォン１４０で楽曲を再生し聴いている状態（Ｓ５１４，Ｓ５２０）にある。従って携帯電話機１２０、ポータブルオーディオ再生機１３０、操作手段を有するヘッドフォン１４０それぞれの電源投入や電源投入時での機器間の連携は前述した第1の実施形態の手順で行われているのでここでの説明は省略する。
【００５０】
ポータブルオーディオ再生機の再生中に着信があった場合（Ｓ６１０のＹ）、携帯電話機１２０のシステム制御部２１０は予めユーザーが設定し、携帯電話機内に登録してある着信伝達方法にしたがって着信を伝達する。着信の伝達はヘッドフォンインタフェース部２２０から操作手段を有するヘッドフォン１４０のケータイインタフェース４２０を介して制御部４１０へ伝達し（Ｓ６１１）、制御部４１０の制御によりユーザーへ伝達される（Ｓ６１２）。具体的には振動による伝達が設定されている場合、制御部４１０は駆動制御部４００を介して振動発生部４０１を励起して振動を発生し伝達する。また光あるいはメッセージの表示等の伝達が設定されている場合、制御部４１０は入出力制御部４１３を介して表示部４１４により着信を伝達する。着信が伝達されたユーザーは着信に対応するか、あるいは無視するか選択することになる（Ｓ６２０）。着信を無視したい場合（Ｓ６２０のＮ）、さらに着信伝達の停止操作（Ｓ６３０）をも対応したくない場合（Ｓ６３０のＮ）ユーザーの着信への応答は不要である。着信伝達は一定時間後には停止する（図示なし）。より早く着信伝達をＯＦＦしたい場合（Ｓ６３０のＹ）はユーザーはキー入力部４１５からの着信伝達ＯＦＦの指示を発行する（Ｓ６３１）。指示を受けて制御部４１０はユーザーへの着信伝達を停止するとともに携帯電話機１２０のシステム制御部２１０へ着信ＯＦＦを伝達する。システム制御部２１０は携帯電話機１２０の着信状態を解除し、新たな着信待ちの状態をつくる。
【００５１】
一方、着信伝達に対応する場合（Ｓ６２０のＹ）、ユーザーがキー入力部４１５から着信応答ＯＮを指示する（Ｓ６２１）とシステム１９０は着信伝達状態から通話状態に移行する。
【００５２】
即ち、制御部４１０はシステム制御部２１０へ通話を求め、その結果システム制御部２１０は携帯電話機１２０を通話可能状態へ移行させると同時にポータブルオーディオ再生機１３０に対して楽曲再生の中断を指示する。着信相手の通話はヘッドフォンインタフェース２２０を介してケータイインタフェース部４２０、音声入出力部４４０、そしてヘッドフォン１０４へ音声が届き、そしてマイク１０５から取り込まれたユーザー音声は音声入出力部４４０を経てケータイインタフェース部４２０、ヘッドフォンインタフェース部２２０、音声コーディック部２０３、送受信部２０２を経て通話が行われる。通話の終了（Ｓ６４０のＹ）はユーザーによるキー入力部４１５の該当するキー操作があると通話終了処理が開始される。具体的には制御部４１０からシステム制御部２１０に対して終了指示を伝達し、システム制御部２１０は携帯電話機内の通話終了処理を行う（Ｓ６４１）とともに、ユーザーの指示がなければ（Ｓ６５０のＹ）楽曲の再生をポータブルオーディオ再生機１３０の制御部３１０へ指示する（Ｓ６５１）。その結果制御部３１０は通話開始で中断した後からの再生を指示し、再生（読み出された）された楽曲は音声信号出力３２０から操作手段を有するヘッドフォン１４０へ転送され、楽曲の中断後からの再生が開始される。ユーザーが通話終了とともに楽曲再生も終了する指示をキー入力部４１５からした場合（Ｓ６５０のＮ）には前記楽曲再生を行うことなく処理は終了する。
【００５３】
また、楽曲再生中の着信への対応は楽曲の再生を中断することなく、例えば音量の低減を行い通話状態を確立することも可能である。即ち、システム制御部２１０はポータブルオーディオ再生機１３０への楽曲再生の中断を指示する替わりに操作手段を有するヘッドフォン１４０の制御部４１０に対して楽曲再生の音量低減を指示する。その結果、制御部４１０は音声入出力部４４０に対して楽曲再生の音量低減の設定を行う。通話中の楽曲再生の中断あるいは音量低減の選択は、例えば予めユーザーがシステム制御を司るシステム制御部２１０へ登録しておく方法やＳ６２１の着信時応答ＯＮを指示する場合に区別して指示してもよい。また音量低減を指示した場合、Ｓ６５１の処理は音声入出力部４４０の設定音量をシステム制御部２１０からの指示を制御部４１０を介して、元の音量へ復帰させる再生条件復帰処理を行うことになる。
【００５４】
以上のように本発明の第２の実施の形態で着信の伝達は視覚、聴覚、触感およびその組み合わせにより行うことが出来、また予め選択し設定することが可能なポータブルオーディオシステムによれば、着信は前記ポータブルオーディオ再生機の楽曲の再生を妨げることなく伝達することができることになる。
【００５５】
（実施の形態３）
次に、図７の動作フローチャートを参照して、本発明の第３の実施形態の動作を説明する。図７に音楽配信サイト等から楽曲をダウンロードする操作・処理フローチャートを示す。システム１９０は図１に示す状態にある。即ち携帯電話機１２０、ポータブルオーディオ再生機１３０はカバンの中でありユーザー１６０は操作手段を有するヘッドフォン１４０で楽曲を再生中（Ｓ５１４，Ｓ５２０）にある。従って携帯電話機１２０、ポータブルオーディオ再生機１３０、操作手段を有するヘッドフォン１４０それぞれの電源投入や電源投入時での機器間の連携は前述した第１の実施形態の手順で行われているのでここでの説明は省略する。
【００５６】
ユーザーの操作によりキー入力部４１５から楽曲の音楽配信サイトからのダウンロード要求が発行される（Ｓ７０１）と、制御部４１０からシステム制御部２１０へ同要求が伝達される。システム制御部２１０は携帯電話機内に登録の音楽配信サイトのＵＲＬを制御部４１０から表示部４１４へ帰し（Ｓ７０２）、ユーザーの希望する音楽配信サイトの選択状態にする（Ｓ７１０）。ユーザーは希望する音楽配信サイトのＵＲＬが表示されるまで選局をキー入力部４１５のキー入力操作を行いサイト切替指示をする（Ｓ７１１）。希望するサイトの表示があると（Ｓ７１０のＹ）、ユーザーはキー入力部４１５により同音楽配信サイトへの通信を指示する。前記指示により、システム制御部２１０は携帯電話機の機能で該当する音楽配信サイトへの交信処理を行い、同サイトのサーバー１５０との交信が確立する（Ｓ７１２）。次にダウンロードする楽曲の選定に入る（Ｓ７２０）。携帯電話機１２０で受信する楽曲情報はシステム制御部からヘッドフォンインタフェース部２２０を介して制御部４１０へ伝達され、表示部４１４を介してユーザーへ提示される。この楽曲情報をユーザーは確認して（Ｓ７２０）、希望する楽曲が表示されるまでキー入力部４１５を操作し楽曲の切替を指示する（Ｓ７２１）。希望の楽曲が表示されたら（Ｓ７２０のＹ），同楽曲のダウンロードをキー入力部４１５の操作により指示する。システム制御部２１０は制御部４１０を介して該当楽曲ダウンロードの指示を受けると、交信状態にある音楽配信サイトに対してダウンロードを要求し、最終的にサーバー１５０との間でダウンロードのための処理が行われる。同楽曲のダウンロードが開始されると（Ｓ７２２）、システム制御部２１０は楽曲を受信しながらポータブルオーディオ再生機１３０のメモリ部３１１へ制御部３１０を介して転送し楽曲の取り組みを行い、同時にダウンロード中であることのメッセージを表示部４１４へ表示する。楽曲のダウンロードが完了すると（Ｓ７３０のＹ）システム制御部２１０から表示部４１４へ完了メッセージを伝達する。ユーザーが続けてダウンロードしたい場合（Ｓ７４０のＹ）は楽曲の切替を指示する（Ｓ７２１）。ダウンロードを終了する場合（Ｓ７４０のＮ）には、キー入力部４１５から終了の指示を入力する（Ｓ７４１）。同ダウンロード終了指示は制御部４１０からシステム制御部２１０へ伝達され、システム制御部２１０はポータブルオーディオ再生機１３０の制御部３１０に対してダウンロード楽曲の取込みを確認し、音楽配信サイトとの交信を中止しダウンロード状態を終了する。
【００５７】
このような本発明の実施の形態のポータブルオーディオシステムによれば、操作手段を有するヘッドフォン１４０と携帯電話機１２０とポータブルオーディオ再生機１３０と互いに独立して交信できることにより、携帯電話機の着信認識を低下することなく、楽曲の再生を妨害されることのない音楽環境の大幅な質向上や、楽曲再生のための操作性、音楽配信サイトからのダウンロードにおける選曲のための操作性、楽曲再生中における前記ダウンロードの実施等、音楽環境と操作性の大幅な質向上を図ることができる。
【００５８】
なお、以上の説明では、システム制御を携帯電話機で行う例について説明したが、システム制御はポータブルオーディオ再生機あるいは操作手段を有するヘッドフォンについても同様に実施可能である。
【産業上の利用可能性】
【００５９】
以上のように、本発明にかかるポータブルオーディオシステムは、携帯電話機の着信認識を低下することなく、楽曲の再生を妨害されることのない音楽環境の大幅な質向上や、楽曲再生のための操作性、音楽配信サイトからのダウンロードにおける選曲のための操作性、楽曲再生中における前記ダウンロードの実施等、音楽環境と操作性の大幅な質向上を図ることができるという効果を有し、携帯電話機と携帯型音楽再生機とを接続し、携帯型電話機と携帯型音楽再生機を融合したモバイルにおける音楽環境を充実するためのポータブルオーディオシステム等として有用である。
【図面の簡単な説明】
【００６０】
【図１】本発明の第1の実施の形態のポータブルオーディオシステムのシステム構成図
【図２】本発明の第1の実施の形態における携帯電話機の機能ブロック図
【図３】本発明の実施の形態におけるポータブルオーディオ再生機の機能ブロック図
【図４】本発明の実施の形態における操作手段を有するヘッドフォンの機能ブロック図
【図５】本発明の実施の形態におけるシステムの動作説明のためのフロー図
【図６】本発明の第２の実施の形態におけるシステムの動作説明のためのフロー図
【図７】本発明の第３の実施の形態におけるシステムの動作説明のためのフロー図
【図８】従来のポータブルオーディオシステムの構成を示す図
【図９】従来のポータブルオーディオシステムの構成を示す図
【符号の説明】
【００６１】
１１０    かばん
１２０    携帯電話機
１３０    ポータブルオーディオ再生機
１４０    操作手段を有するヘッドフォン
１５０    サーバー
１６０    ユーザー
１０４    ヘッドフォン
１０５、２０６    マイク
１０６    操作スイッチ部
１９０    ポータブルオーディオシステム
２０１    アンテナ
２０２    送受信部
２０３、３０１    音声コーディック部
２０５    スピーカー
２１２、３１２、４１２    入出力部
２１３、３１３、４１３    入出力制御部
２１４、３１４、４１４    表示部
２１０    システム制御部
３１０、４１０    制御部
２１１、３１１、４１１    メモリ部
２２１    ポータブルオーディオインタフェース部
２２０    ヘッドフォンインタフェース部
３００、４２０    ケータイインタフェース部
３２０    音声信号出力インタフェース部
４００    駆動制御部
４０１    振動発生部
４３０    音声信号入力インタフェース部
４４０    音声入出力部
【図１】
2006295783.tif 000003
【図２】
2006295783.tif 000004
【図３】
2006295783.tif 000005
【図４】
2006295783.tif 000006
【図５】
2006295783.tif 000007
【図６】
2006295783.tif 000008
【図７】
2006295783.tif 000009
【図８】
2006295783.tif 000010
【図９】
2006295783.tif 000011